(57)【要約】  【課題】簡単な構成でメンテナンスが容易な畦塗り用の器具を提供することを課題とする。  【解決手段】畦塗り器として、高さ方向の角度は塗る畦の地面に対する角度とほぼ等しい角度を有し、長さ方向の角度は後方に向って斜めに傾斜する板体を、上方に向って板体が離れる側に存する長さ方向の鉛直面に対称に２枚設け、互いの板体を固定した畦塗り板と、前記トラクターの後部の両側方位置のいずれにも前記畦塗り板を同じ向きににして移動可能に保持固定する畦塗り板固定手段とを設ける。【選択図】  図１
0003128575.tif 000002
【実用新案登録請求の範囲】
【請求項１】
高さ方向の角度は塗る畦の地面に対する角度とほぼ等しい角度を有し、長さ方向の角度は後方に向って斜めに傾斜する板体を、上方に向って板体が離れる側に存する長さ方向の鉛直面に対称に２枚設け、互いの板体を固定した畦塗り板と、
前記トラクターの後部の両側方位置のいずれにも前記畦塗り板を同じ向きににして移動可能に保持固定する畦塗り板固定手段と
を有する畦塗り器。
【請求項２】
前記畦塗り板はほぼ鉛直な回転軸により前記畦塗り板固定手段に回動可能に支持されるとともに、前記トラクターに固定された状態において前記トラクターの運転席から操作できる位置に、前記畦塗り板に固定される棒状の操作杆が設けられる請求項１に記載の畦塗り器。
【請求項３】
前記畦塗り板固定手段は、
トラクター後部に固定されるトラクター固定部と、
トラクター固定部に設けられる、鉛直方向の回動軸回りに回動するアーム部と、
前記アーム部の先端に設けられる前記畦塗り板を鉛直方向の回動軸回りに支持固定する畦塗り板支持部と、
前記アーム部がトラクターの側方を向いた状態で固定するアーム固定部と
を有する
請求項１又は２項に記載の畦塗り器。
【考案の詳細な説明】
【技術分野】
【０００１】
本考案は、トラクターの後部に固定して畦に泥を塗る器具に関する。
【背景技術】
【０００２】
従来、畦を塗る装置として畦塗り機が用いられてきた。畦塗り機は、回転する円錐台状の板体を用いて泥を跳ね上げながら、畦を形成していく構造を有する。
【考案の開示】
【考案が解決しようとする課題】
【０００３】
しかし、従来の畦塗り機は構造が複雑なために高価であり、メンテナンスには専門家が必要であった。
本考案は、かかる問題に鑑みて、簡単な構成でメンテナンスが容易な畦塗り用の器具を提供することを課題とする。
【課題を解決するための手段】
【０００４】
上記課題を解決するために、本考案は次のような構成を有する。
請求項１に記載の発明は、高さ方向の角度は塗る畦の地面に対する角度とほぼ等しい角度を有し、長さ方向の角度は後方に向って斜めに傾斜する板体を、上方に向って板体が離れる側に存する長さ方向の鉛直面に対称に２枚設け、互いの板体を固定した畦塗り板と、前記トラクターの後部の両側方位置のいずれにも前記畦塗り板を同じ向きににして移動可能に保持固定する畦塗り板固定手段とを有する畦塗り器である。
請求項２に記載の発明は、前記畦塗り器において、前記畦塗り板はほぼ鉛直な回転軸により前記畦塗り板固定手段に回動可能に支持されるとともに、前記トラクターに固定された状態において前記トラクターの運転席から操作できる位置に、前記畦塗り板に固定される棒状の操作杆が設けられるものである。
請求項３に記載の発明は、前記畦塗り器において、前記畦塗り板固定手段は、トラクター後部に固定されるトラクター固定部と、トラクター固定部に設けられる、鉛直方向の回動軸回りに回動するアーム部と、前記アーム部の先端に設けられる前記畦塗り板を鉛直方向の回動軸回りに支持固定する畦塗り板支持部と、前記アーム部がトラクターの側方を向いた状態で固定するアーム固定部とを有するものである。
【考案の効果】
【０００５】
上記のような構成を有することで、本考案は、次のような効果を奏する。
請求項１に記載の考案は、複雑な機械部分を有することなく畦に泥を塗る器具を実現することで、コストを低減させ、メンテナンスを簡易にすることができる。
請求項２に記載の考案は、操作杆により畦塗り板の角度を運転席から調整することができるので、畦の状態や路面の状態に合わせて適切に畦塗り板の角度を動的に調整することができる。
請求項３に記載の考案は、アームの回転により畦塗り板の位置を変えることで、簡易な構造で畦塗り板の位置を変更する機構を実現することができる。
【考案を実施するための最良の形態】
【０００６】
以下、本考案の実施形態について、図を参照しながら説明する。
図１に実施形態に係る畦塗り器Ｘの斜視図を示し、図２に畦塗り器Ｘの平面図を示し、図３に畦塗り器Ｘの左側面図を示す。畦塗り器Ｘは畦塗り板１０、畦塗り板固定部２０とから構成される。
畦塗り板１０は、右側板部１１、左側板部１２、右側先部１３、左側先部１４、連結棒１５、回動軸１６、操作杆１７から構成される。右板部１１は高さ方向の角度が、右上方に向って塗る畦の地面に対する角度とほぼ等しく、長さ方向の角度は後方に向って右寄りに斜めに傾斜する板状の部材である。左側板部１２は、高さ方向の角度が、左上方に向って塗る畦の地面に対する角度とほぼ等しく、長さ方向の角度は後方に向って左寄りに斜めに傾斜する板状の部材である。右側先部１３は、右側板部１１の先端面から、畦塗り板１０の前方中央に向って屈曲する板体である。右側先部１３の先端側に位置する側部は、やや上端から下方に向かってまず下方に向かって傾斜し、下方近傍から下端から前方に向って傾斜している。左側先部１４は、左側板部１２の先端面から、畦塗り板１０の前方中央に向って屈曲する板体である。左側先部１４の先端側に位置する側部は、右側先部１３と接合するので、やはり、やや上端から下方に向かってまず下方に向かって傾斜し、下方近傍から下端から前方に向って傾斜している。右側板部１１と左側板部１２及び右側先部１３と左側先部１４とは畦塗り板１０の幅方向の中心を通る鉛直面に対して対称な形状をしている。連結棒１５は、右側板部１１と左側板部１２とを内側で連結し補強する棒材であり、上下に２本設けられる。回転軸１６は、右側先部１３、左側先部１４の接合面内側に溶接固定される鉛直方向に向う丸棒により構成される。操作杆１７は、回転軸１６の先端に着脱可能に固定されるリング部材１７ａが基端に設けられた運転席から操作できる長さを有する棒状体であり、回転軸１６に固定された状態でやや斜め上方に向うように形成されている。
【０００７】
畦塗り板固定部２０は、トラクター固定部２１、アーム部２２、畦塗り板支持部２３、アーム固定部２４とからなる。
トラクター固定部２１は、トラクターの幅方向に延びるＬアングルによりからなる支持アングル２１ａと、支持アングル２１ａの中央に背面に設けられる後方側が開放するＣ字上の部材であって、上端と下端にリング部材が設けられる軸支体２１ｂと、トラクター後部のロータリーなどの各種作業機器を連結するためのチャック部に固定するための第１金具２１ｃ、２１ｃ及び第２金具２１ｄと、支持アングル２１ａの両端に中央から対称に設けられる角筒からなるスペーサー２１ｅとから構成される。スペーサー２１ｅとこれに接触する支持アングル２１ａには、前後に貫通する貫通孔が設けられる。また、軸支体２１ｂの上部のリング部材には貫通するネジ穴が切ってあり、これに固定ボルト２１ｂａが係合している。
アーム部２２は、長尺の下端が前方に折り曲げられた板体からなるアーム板２２ａと、アーム板２２ａの一端に溶接固定される、前記トラクター固定部２１の軸支体２１ｂに軸支されるアーム回動軸２２ｂとから構成される。アーム回動軸２２ｂは軸支体２１ｂの両リング部材に挟まれる、各リングの穴より外径の大きい中央円筒部と、中央円筒部の上端と下端に設けられる両リング部材内に回動可能に係合する端円筒部とから構成される。また、アーム板２２ａをトラクター固定部２１のスペーサー２１ｅに重なるように回動させた際に、スペーサー２１ｅに設けた貫通孔に重なるアーム板２２ａの位置にも貫通孔が形成される。
畦塗り板支持部２３は、アーム板２２ａの先端に鉛直方向に長手方向が向くように溶接固定される、畦塗り板１０の回転軸１６が回動可能に貫通できる円筒体である。畦塗り板支持部２３の回転軸１６は、この畦塗り板支持部２３内を通り、先端部に操作杆１７のリング部材１７ａが固定されることで、回動可能に支持固定されることとなる。
アーム固定部２４は、アーム部２２のアーム板２２ａをトラクター固定部２１のスペーサー２１ｅに当接させた際に、アーム板２２ａ、スペーサー２１ｅ、支持アングル２１ａを貫く貫通孔に係合するボルトとナットにより構成される。
【０００８】
次に、以上のような構成を有する畦塗り器Ｘの使用方法について説明する。
まず、事前に畦を塗る内側に水を入れて泥状にし２日程度そのままにしておく。次に、畦塗り板固定部２０の第１金具２１ｃ、２１ｃ及び第二金具２１ｄをトラクターの後部のチャック部に固定することで、畦塗り器Ｘをトラクターの後部に固定する。この状態で、進行方向の左側の畦を塗る場合には、アーム部２２のアーム板２２ａを左側に回動させて、アーム固定部２４を構成するボルトとナットによりアーム板をスペーサー２１e及び支持アングル２１ａに固定する。これにより、畦塗り板１０は、トラクターの左後方位置に固定されることとなる。
このトラクターを古い畦を左手に見て畦塗り板１０が畦の後端に位置する場所に移動させる。この状態において、トラクターが泥状の土壌に乗ることでタイヤが沈み、タイヤの両側の泥が盛上がる。ここで、トラクターを前進させると、畦塗り板１０の左側板部１２により、この盛り上がった泥を古い畦に塗っていくことができる。即ち、左側板部１２は、前方から後方に向って畦に近づくように形成されているので、前方から左側板部１２と古い畦の側壁に入った泥は隙間が後方に向って狭くなっていくので上方へと押し上げられ、畦の上方側も泥を塗り込むことができ、また、左側板部１２の高さ方向の角度は畦の側壁とほぼ平行になるような角度を形成しているので、泥も古い畦の側壁とほぼ平行に塗られていくこととなる。また、泥の状態が均一ではない場合や路面状態からトラクターの位置がずれる場合などには、畦塗り板１０の操作杆１７を運転席から適宜回動させて微調整を行う。
トラクターの先頭が畦の先まで来ると畦塗り板１０はそれ以上先には進めないので、畦の先側の一部は畦塗りがされない状態となる。そこで、トラクターを反転させて右側が畦側となるようにし、アーム固定部２４を構成するボルトとナットを外してアーム部２２を右側に回動させて、からアーム固定部２４によりアーム板２２ａをスペーサー２１e及び支持アングル２１ａに固定すして、畦塗り板１０をトラクターの右後方位置に移動させる。この状態で、前進することで、残りの先端部分の畦にも右側側部１１により泥を塗ることができる。
なお、ここでは一条の畦の側面に泥を塗ることを示したが、四方に囲まれた畦の側面に泥を塗る場合は、まず、いずれかの側方位置に畦塗り板１０を位置させて内周を一周させてから、畦塗り板１０の位置を逆側に移動させて逆回りに一周させればよい。
【図面の簡単な説明】
【０００９】
【図１】実施形態に係る畦塗り器の斜視図である。
【図２】実施形態に係る畦塗り器の平面図である。
【図３】実施形態に係る畦塗り器の側面図である。
【符号の説明】
【００１０】
Ｘ      畦塗り器
１０    畦塗り板
１１    右側板部
１２    左側板部
２０    畦塗り板固定部
２１    トラクター固定部
２２    アーム部
２３    畦塗り板支持部
２４    アーム固定部
【図１】
0003128575.tif 000003
【図２】
0003128575.tif 000004
【図３】
0003128575.tif 000005